(57)【特許請求の範囲】
【請求項１】
時針、分針、および秒針の３つの指針による３針アナログ時刻表示と時針および分針の２つの指針による２針アナログ時刻表示が可能で、時刻コードを受けて指針位置を検出した後、表示時刻を修正する自動修正時計であって、
３針アナログ時刻表示の場合には、第１の領域に第１の制御信号を受けて秒針車を含む輪列を駆動する秒針駆動系を配置し、第２の領域に第２の制御信号を受けて時針車および分針車を含む輪列を駆動する時分針駆動系を配置することが可能で、２針アナログ表示の場合には、上記第１の領域には上記秒針駆動系を配置せず、上記第２の領域に第２の制御信号を受けて時針車および分針車を含む輪列を駆動する時分針駆動系のみを配置可能な指針駆動系と、
時針車、分針車、および秒針車のそれぞれに形成された基準位置を示す指標の重なり状態により指針位置を検出する指針位置検出系と、
上記指針位置検出系であらかじめ決められた検出結果が得られた場合には、３針アナログ時刻表示に対応して上記指針駆動系が構成されているものと判断して、上記第１の制御信号を上記秒針駆動系に出力し、上記第２の制御信号を時分針駆動系に出力し、秒針駆動系および時分針駆動系を駆動して時刻修正、および時刻表示を行い、上記指針位置検出系であらかじめ決められた検出結果が得られない場合には、２針アナログ時刻表示に対応して上記指針駆動系が構成されているものと判断して、上記第２の制御信号のみを時分針駆動系に出力し、時分針駆動系を駆動して時刻修正、および時刻表示を行う制御回路と
を有する自動修正時計。
【請求項２】
上記時針車、分針車、および秒針車のそれぞれに形成された基準位置を示す指標は少なくとも一つの透孔であり、
上記指針位置検出系は、上記各透孔が重なり合うことができる領域に検出光を出射する発光素子と、上記発光素子の出射光のうち上記透孔の重なり領域の全ての透孔を通過した光を受光可能な位置に配置され、受光レベルに応じた検出信号を出力する受光素子を有する透過型光検出センサを含む
請求項１記載の自動修正時計。
【発明の詳細な説明】
【０００１】
【発明の属する技術分野】
本発明は、たとえば電波信号を受けて時刻修正を行う電波修正時計等の自動修正時計に関するものである。
【０００２】
【従来の技術】
電波修正時計は、たとえば日本標準時を高精度で伝える長波（４０ｋＨｚ）の標準電波を受信し、受信信号に基づいて、いわゆる帰零などを行う機能を有している。そして、帰零の際、指針の位置を正確に正時に合わせるなどのため、指針位置検出装置が設けられている。
【０００３】
この種の電波修正時計は、標準電波を受信する受信系回路と、受信信号に基づいて指針駆動系を駆動して時刻修正を行う制御回路とを内蔵しており、時刻修正モードとしては、たとえば初期状態で時刻データの無い初期修正モードと通常修正モードを有している。
【０００４】
初期修正モードにおいては、たとえば電波修正時計を購入し、屋内の所定の箇所に載置するに際し、まず時計の所定の位置に電池が挿入されセットされる。
次に、初期の針合わせとして、針位置検出並びに帰零動作が行われる。
帰零動作が完了すると、受信回路による標準電波の受信が開始され、この受信電波が制御回路に入力される。
【０００５】
制御回路では、入力した受信電波に基づいて時刻へのデコード動作が行われる。デコードの結果、時刻化が可能である場合には、指針位置がデコードした時刻コードに応じた位置に修正され、初期修正モードが終了し、通常修正モードへ移行する。
【０００６】
一方、時刻化が不可能である場合には指針位置の修正が行われず、その旨が、たとえば時計本体に設けられた報知手段としてのＬＥＤ等を点灯させて、ユーザーに報知される。
【０００７】
通常修正モードでは、初期修正モードで指針位置の修正を行った後、指針位置が受信した電波信号の時刻コードに応じた位置に修正される。
【０００８】
【発明が解決しようとする課題】
ところで、上述した電波修正時計の場合、指針により時刻を表示するアナログ表示機能のみを有しているが、このアナログ電波修正時計には、秒針、分針、時針のいわゆるアナログ３針の電波修正時計、あるいは分針および時針のアナログ２針の電波修正時計がある。
【０００９】
以上のように、いわゆるムーブメントや表示機能が異なり、これに伴いスイッチボタンの操作が異なる場合には、従来、１つの制御回路で１機種に対応するように構成している。
【００１０】
しかしながら、同時に多品種の製品が必要な場合、種類の違う回路が多数必要になり、対応が煩雑で、ひいてはコストの増大を招く。
【００１１】
本発明は、かかる事情に鑑みてなされたものであり、その目的は、煩雑な手間を要さず、同時に多品種の製品に対応できる自動修正時計を提供することにある。
【００１２】
【課題を解決するための手段】
上記目的を達成するため、本発明は、時針、分針、および秒針の３つの指針による３針アナログ時刻表示と時針および分針の２つの指針による２針アナログ時刻表示が可能で、時刻コードを受けて指針位置を検出した後、表示時刻を修正する自動修正時計であって、３針アナログ時刻表示の場合には、第１の領域に第１の制御信号を受けて秒針車を含む輪列を駆動する秒針駆動系を配置し、第２の領域に第２の制御信号を受けて時針車および分針車を含む輪列を駆動する時分針駆動系を配置することが可能で、２針アナログ表示の場合には、上記第１の領域には上記秒針駆動系を配置せず、上記第２の領域に第２の制御信号を受けて時針車および分針車を含む輪列を駆動する時分針駆動系のみを配置可能な指針駆動系と、時針車、分針車、および秒針車のそれぞれに形成された基準位置を示す指標の重なり状態により指針位置を検出する指針位置検出系と、上記指針位置検出系であらかじめ決められた検出結果が得られた場合には、３針アナログ時刻表示に対応して上記指針駆動系が構成されているものと判断して、上記第１の制御信号を上記秒針駆動系に出力し、上記第２の制御信号を時分針駆動系に出力し、秒針駆動系および時分針駆動系を駆動して時刻修正、および時刻表示を行い、上記指針位置検出系であらかじめ決められた検出結果が得られない場合には、２針アナログ時刻表示に対応して上記指針駆動系が構成されているものと判断して、上記第２の制御信号のみを時分針駆動系に出力し、時分針駆動系を駆動して時刻修正、および時刻表示を行う制御回路とを有する。
【００１３】
また、本発明では、上記時針車、分針車、および秒針車のそれぞれに形成された基準位置を示す指標は少なくとも一つの透孔であり、上記指針位置検出系は、上記各透孔が重なり合うことができる領域に検出光を出射する発光素子と、上記発光素子の出射光のうち上記透孔の重なり領域の全ての透孔を通過した光を受光可能な位置に配置され、受光レベルに応じた検出信号を出力する受光素子を有する透過型光検出センサを含む。
【００１４】
本発明によれば、たとえば指針位置検出系においてあらかじめ決められた検出結果が得られた場合には、制御回路において３針アナログ時刻表示に対応して指針駆動系が構成されていると判断される。
すなわち、この場合、指針駆動系は、第１の領域に第１の制御信号を受けて秒針車を含む輪列を駆動する秒針駆動系が配置され、第２の領域に第２の制御信号を受けて時針車および分針車を含む輪列を駆動する時分針駆動系が配置されている。
そして、時刻修正を行う場合に、第１の制御信号が秒針駆動系に出力され、第２の制御信号が時分針駆動系に出力されて、秒針駆動系および時分針駆動系の両者が駆動されてたとえば早送りで行われる。
また、通常運針の場合にも、秒針駆動系および時分針駆動系の両者が駆動されて３針によるアナログ時刻表示が行われる。
【００１５】
指針位置検出系においてあらかじめ決められた検出結果が得られない場合には、制御回路において２針アナログ時刻表示に対応して指針駆動系が構成されていると判断される。
すなわち、この場合、指針駆動系は、第１の領域には上記秒針駆動系が配置されず、第２の領域に第２の制御信号を受けて時針車および分針車を含む輪列を駆動する時分針駆動系のみが配置されている。
そして、時刻修正を行う場合には、たとえば第１の制御信号が秒針駆動系に出力されず、第２の制御信号が時分針駆動系に出力されて、時分針駆動系が駆動されてたとえば早送りで行われる。
また、通常運針の場合にも、時分針駆動系が駆動されて２針によるアナログ時刻表示が行われる。
【００１６】
【発明の実施の形態】
図１は本発明に係る自動修正時計としての電波修正時計の信号処理系回路の一実施形態を示すブロック構成図である。
本実施形態に係る電波修正時計の信号処理系回路は、たとえば２つの機種、具体的には、時針、分針、および秒針の３針でアナログ時刻表示を行うアナログ３針、および時針および分針の２針でアナログ時刻表示を行うアナログ２針として対応できるように構成されている。
【００１７】
また、本実施形態では、アナログ３針とアナログ２針とでは、そのムーブメント並びに指針位置検出系（指針駆動系）は共通のものを用いることができるように構成されている。
すなわち、ムーブメントはアナログ３針用の一系統のみ用い、後述するように、制御回路の制御の下、秒針の帰零動作時にフォトトランジスタの出力パターンがあらかじめ決められたパターンである場合には、アナログ３針であると判断し時刻修正および通常運針を行い、フォトトランジスタの出力パターンがあらかじめ決められたパターンでない場合には、アナログ２針であると判断して時刻修正および通常運針を行うように構成されている。
【００１８】
なお、本実施形態に係る指針駆動系では、後述するように、アナログ３針の場合には、第１の領域には上記秒針駆動系が配置され、第２の領域に第２の制御信号を受けて時針車および分針車を含む輪列を駆動する時分針駆動系が配置される。
また、アナログ２針の場合には、第１の領域には上記秒針駆動系が配置されず、第２の領域に第２の制御信号を受けて時針車および分針車を含む輪列を駆動する時分針駆動系のみが配置される。
【００１９】
図２は本発明に係る３針電波修正時計の指針駆動系の一実施形態の全体構成を示す断面図、図３は本発明に係る３針電波修正時計の指針駆動系の要部の平面図である。
また、図４は本発明に係る２針電波修正時計の指針駆動系の一実施形態の全体構成を示す断面図、図５は本発明に係る２針電波修正時計の指針駆動系の要部の平面図である。
【００２０】
図において、１０は信号処理系回路、１１は標準電波信号受信および送信系（以下、送受信系という）、１２はリセット／強制受信スイッチ、１３は発振回路、１４は制御回路、１５はドライブ回路、１６は報知手段としての発光素子、１７、１８はドライブ回路、ＶCCは電源電圧、Ｃ1 〜Ｃ3 はキャパシタ、Ｒ1 〜Ｒ5 は抵抗素子、１００は時計本体、１２０は秒針を駆動する秒針駆動系、１３０は指針である分針および時針を駆動する時分針駆動系、１４０は光透過型光検出センサ、および１５０は利用者が手により直接時刻合わせを行う手動修正系をそれぞれ示している。
【００２１】
標準電波信号受信系１１は、受信アンテナ１１ａと、たとえばキー局から送信された時刻コード信号を含む長波（たとえば４０ｋＨｚ）を受信し、所定の処理を行いパルス信号Ｓ１１として制御回路１４に出力する長波受信回路１１ｂとから構成されている。
この長波受信回路１１ｂは、たとえばＲＦアンプ、検波回路、整流回路、および積分回路により構成されている。
【００２２】
なお、標準電波信号受信系１１で受信される、日本標準時を高精度で伝える長波（４０ｋＨｚ）の標準電波は、図６（ａ）に示すような形態で送られてくる。
具体的には、「１」信号の場合には１秒（ｓ）の間に５００ｍｓ（０．５ｓ）だけ４０ｋＨｚの信号が送られ、「０」信号の場合には１秒（ｓ）の間に８００ｍｓ（０．８ｓ）だけ４０ｋＨｚの信号が送られ、「Ｐ」信号の場合には１秒（ｓ）の間に２００ｍｓ（０．２ｓ）だけ４０ｋＨｚの信号が送られてくる。
受信状態が良好な場合には、長波受信回路１１ｂからは図６（ｂ）に示すように、４０ｋＨｚの有無に応じたパルス信号として信号Ｓ１１が制御回路１４に出力される。
【００２３】
図７は、標準時刻電波信号の時刻コードの一例を示している。
現在の日本の長波標準電波は、郵政省通信総合研究所（ＣＲＬ）の運用のもとで、福島県より送信されており、送信情報は、分・時・１月１日からの積算日となっている。
【００２４】
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データなどの時刻データはこの正分位置を基準としてフレーム中の位置が決まっているためこの正分位置の検出を行わないと時刻データを取り出すことはできない。
【００２５】
次に、長波標準電波について説明する。
【００２６】
現在の標準電波は以前（実験局当時）の送信データに加え、年下２桁、曜、分パリティ、時パリティ、サマータイム導入の際に使用予定である予備ビット、うるう秒が追加された（図７（ａ）参照）。また、毎時１５分、４５分には電波の送信を中断する停波情報も付加された（図７（ｂ）参照）。以下にこれら新設された情報のうち、特に予備ビット、うるう秒情報、停波情報について説明する。
【００２７】
予備ビットは表１に示される如く、ＳＵ１、ＳＵ２を使用する。これらは将来の情報拡張のために用意されたものである。サマータイム情報でこのビットが活用されるときは、ＳＵ１＝ＳＵ２＝０では「６日以内に夏時間への変更無し」、ＳＵ１＝１・ＳＵ２＝０では「６日以内に夏時間への変更有り」、ＳＵ１＝０・ＳＵ２＝１では「夏時間実施中」、ＳＵ１＝ＳＵ２＝１では「６日以内に夏時間終了」となるような情報形態となっている。夏時間への切り替わりについては日本ではまだサマータイムが導入されておらず、未だ不明の状態であるが欧州のサマータイムの切り替わりを見ると、夜中のうちに行っている場合が多い。
【００２８】
【表１】
0003704028.tif 000002
【００２９】
次にうるう秒は表２に示される如く、ＬＳ１、ＬＳ２の２ビットを使用し、ＬＳ１＝ＬＳ２＝０では「１ヶ月以内にうるう秒の補正を行わない」、ＬＳ１＝１・ＬＳ２＝０では「１ヶ月以内に負のうるう秒（削除）あり」つまり１分間が５９秒となり、ＬＳ１＝ＬＳ２＝１では「１ヶ月以内に正のうるう秒（挿入）あり」つまり１分間が６１秒となるような情報形態となっている。うるう秒の補正のタイミングは既に決められており、ＵＴＣ時刻の１月１日もしくは７月１日の直前に行われることになっている。よって、日本時間（ＪＴＣ）では１月１日もしくは７月１日午前９：００直前に行われることになる。
【００３０】
【表２】
0003704028.tif 000003
【００３１】
停波情報は表３の（ａ）、（ｂ）、（ｃ）に示される如く、ＳＴ１、ＳＴ２、ＳＴ３、ＳＴ４、ＳＴ５、ＳＴ６を使用し、ＳＴ１・ＳＴ２・ＳＴ３で停波開始予告、ＳＴ４で停波時間帯予告、ＳＴ５・ＳＴ６で停波期間予告の停波情報を提供する。まず停波開始予告について説明すると、ＳＴ１＝ＳＴ２＝ＳＴ３＝０では「停波予定無し」、ＳＴ１＝ＳＴ２＝０・ＳＴ３＝１では「７日以内に停波」、ＳＴ１＝０・ＳＴ２＝１・ＳＴ３＝０では「３から６日以内に停波」、ＳＴ１＝０・ＳＴ２＝ＳＴ３＝１では「２日以内に停波」、ＳＴ１＝１・ＳＴ２＝ＳＴ３＝０では「２４時間以内に停波」、ＳＴ１＝１・ＳＴ２＝０・ＳＴ３＝１では「１２時間以内に停波」、ＳＴ１＝ＳＴ２＝１・ＳＴ３＝０では「２時間以内に停波」となっている。次に停波時間帯予告は、ＳＴ４＝１では「昼間のみ」、ＳＴ４＝０では「終日、または停波予定無し」である。次に停波期間予告は、ＳＴ５＝ＳＴ６＝０では「停波予定無し」、ＳＴ５＝０・ＳＴ６＝１では「７日以上停波、または期間不明」、ＳＴ５＝１・ＳＴ６＝０では「２から６日以内で停波、ＳＴ５＝ＳＴ６＝１では「２日未満で停波」となっている。
【００３２】
【表３】
0003704028.tif 000004
【００３３】
以上、郵政省通信総合研究所（ＣＲＬ）が運用管理している長波の標準時刻情報を含む電波による送信情報については詳述した如く、標準時刻情報以外に予備ビットによる情報、うるう秒情報、停波情報も送信情報に含まれる。
【００３４】
リセット／強制受信スイッチ１２は、制御回路１４の各種状態を初期状態に戻すときにオンにされる。
このリセット／強制受信スイッチ１２がオンされたとき、または図示しない電池をセットしたときに本電波修正時計は、たとえば標準時刻電波信号を強制的に受信して修正を行う修正モードになる。
【００３５】
発振回路１３は、水晶発振器ＣＲＹおよびキャパシタＣ2 ，Ｃ3 により構成され、所定周波数の基本クロックを制御回路１４に供給する。
【００３６】
制御回路１４は、図示しない分針カウンタ、秒針カウンタ、標準分・秒カウンタ等を有しており、たとえば初期修正モード時には、標準電波信号受信系１１によるパルス信号Ｓ１１を受けて、受信した標準電波信号の受信状態があらかじめ決められた基準範囲と比較し、受信状態が基準範囲内にある場合には、第１および第２の制御信号ＣＴＬ1,ＣＴＬ2 をバッファ１７を介して、秒針駆動系としての秒針用のステッピングモータ１２１および時分針駆動系としての時分針用のステッピングモータ１３１に出力して指針位置検出（初期設定）を行い、受信状態が基準範囲内にない場合には、第１および第２の制御信号ＣＴＬ1,ＣＴＬ2 を出力せずに、ドライブ信号ＤＲ1 をドライブ回路１５に出力して、報知手段としての発光素子１６を発光させてユーザーに電波受信がほとんどできない旨を報知させる。
【００３７】
そして、受信状態が基準範囲内にある場合には、上記したように秒針駆動系および時分針駆動系を駆動して指針位置を検出を行う際に、光透過型光検出センサ１４０の出力パターンが、たとえば図８に示すようなあらかじめ決められたパルスパターンの場合には、指針駆動系は図２および図３に示すようなアナログ３針用に構成されているものと判断して、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、第１および第２の制御信号ＣＴＬ1,ＣＴＬ2 をバッファ１７を介して秒針用のステッピングモータ１２１および時分針用のステッピングモータ１３１に出力して回転制御を行うことにより早送り時刻修正制御を行う。
【００３８】
また、受信状態が基準範囲内にある場合であって、上記したように秒針駆動系および時分針駆動系を駆動して指針位置の検出を行う際に、光透過型光検出センサ１４０の出力パターンが、たとえば図９に示すように、図８のあらかじめ決められたパルスパターンと異なる場合には、指針駆動系は図４および図５に示すようなアナログ２針用に構成されているものと判断して、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、第２の制御信号ＣＴＬ2 のみをバッファ１７を介して時分針用のステッピングモータ１３１に出力して回転制御を行うことにより早送り時刻修正制御を行う。
一方、デコードの結果、時刻化が不可能である場合には、第２の制御信号ＣＴＬ2 も出力せずに、ドライブ信号ＤＲ1 をドライブ回路１５に出力して、報知手段としての発光素子１６を発光させてユーザーに電波受信が良好でない旨を報知させる。
これにより、初期修正モードの動作を完了させる。
【００３９】
また、制御回路１４は、初期修正モードの動作を完了させた後、通常修正モードおよび通常運針モードの制御を行う。
通常修正モードおよび通常運針モードにおいては、初期修正モード時の初期設定動作後と同様の動作を行う。
具体的には、３針機種の場合には、受信した電波信号をデコードし、デコードの結果、時刻化が可能である場合には、発振回路１３による基本クロックに基づいて各種カウンタのカウント制御並びに光検出センサ１４０による検出信号ＤＴ1 の入力レベルに応じて、第１および第２の制御信号ＣＴＬ1,ＣＴＬ2 をバッファ１７を介して秒針用のステッピングモータ１２１および時分針用のステッピングモータ１３１に出力して回転制御を行うことにより早送り時刻修正制御を行う。
一方、デコードの結果、時刻化が不可能である場合には、制御信号ＣＴＬ1,ＣＴＬ2 を出力せずに、ドライブ信号ＤＲ1 をドライブ回路１５に出力して、報知手段としての発光ダイオード１６を発光させてユーザーに電波受信が良好でない旨を報知させる。
また、通常運針の場合にも、第１および第２の制御信号ＣＴＬ1,ＣＴＬ2 をバッファ１７を介して秒針用のステッピングモータ１２１および時分針用のステッピングモータ１３１に出力して３針によるアナログ時刻表示制御を行う。
【００４０】
２針機種の場合には、受信した電波信号をデコードし、デコードの結果、時刻化が可能である場合には、発振回路１３による基本クロックに基づいて各種カウンタのカウント制御並びに光検出センサによる検出信号ＤＴ1 の入力レベルに応じて、第２の制御信号ＣＴＬ2 のみをバッファ１７を介して時分針用のステッピングモータ１３１に出力して回転制御を行うことにより早送り時刻修正制御を行う。
一方、デコードの結果、時刻化が不可能である場合には、第２の制御信号ＣＴＬ2 も出力せずに、ドライブ信号ＤＲ1 をドライブ回路１５に出力して、報知手段としての発光素子１６を発光させてユーザーに電波受信が良好でない旨を報知させる。
また、通常運針の場合にも、第２の制御信号ＣＴＬ2 のみをバッファ１７を介して時分針用のステッピングモータ１３１に出力して２針によるアナログ時刻表示制御を行う。
【００４１】
なお、上記の説明では、受信状態が基準範囲外にあると判別するときは、電波が弱かったり、ノイズが多いときである。
電波が非常に弱い場合には、図６（ｃ）に示すように、数個の信号分、ローレベル（Ｌ）かハイレベル（Ｈ）のままになる。
また、ノイズが多いときは、時刻電波と無関係にレベルが変化する。
これらの状態にある信号Ｓ１１を、たとえば１０秒に２回あるいはそれ以上受けたときには、受信状態が基準範囲外にあると判別する。
具体的には、たとえば１０秒程度を検出時間として、時間内においてレベルの変化が１秒以内に検出されなかったときおよび検出したパルス幅が０．８、０．５、０．２秒近辺でなかったときをＮＧとして、ＮＧが２回以上発生したときには受信不可と判断する。
【００４２】
ドライブ回路１５はｐｎｐ型トランジスタＱ１および抵抗素子Ｒ1 ，Ｒ2 により構成されている。
トランジスタＱ１のベースが抵抗素子Ｒ1 を介して制御回路１４のドライブ信号ＤＲ1 の出力ラインに接続され、コレクタが抵抗素子Ｒ2 を介して発光ダイオードからなる発光素子１６のアノードに接続され、エミッタが電源電圧ＶCCの供給ラインに接続されている。そして、発光素子１６のカソードが接地されている。
すなわち、発光素子１６は、制御回路１４からローレベルのドライブ信号ＤＲ1 が出力されたときに発光するようにドライブ回路１５に接続されている。
【００４３】
また、ドライブ回路１８は、ｐｎｐ型トランジスタＱ２、および抵抗素子Ｒ3，Ｒ4 により構成されている。
【００４４】
次に、３針電波修正時計のムーブメントおよび指針位置検出系の具体的な構成について、図２、図３、図１０〜図１８に関連付けて説明する。
【００４５】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、秒針駆動系１２０、時分針駆動系１３０、光検出センサ１４０、手動修正系１５０等が固定あるいは軸支されている。
【００４６】
秒針駆動系１２０は、図２、図３および図１０に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｃ’に大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１２とに軸支されており、制御回路１４の出力制御信号ＣＴＬ1 に基づいて、その回転方向、回転角度および回転速度が制御される。
そして、秒針駆動系１２０は、図２に示すように、Ａ１で示す第１領域に配置される。
【００４７】
第１の５番車１２２は、大径歯車１２２ａの歯数が６０個、小径歯車１２２ｂの歯数が１５個に形成され、下ケース１１１および上ケース１１２に回動自在に軸支され、その大径歯車１２２ａが秒針用ステッピングモータ１２１のロータ１２１ｃ（ピニオン１２１ｃ’）と噛合して、ロータ１２１ｃの回転速度を所定速度に減速させる。この第１の５番車１２２には、図１２および図１４に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００４８】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内部に挿通されて、その先端に秒針２０２が取り付けられている。この秒針車１２３には、図１３に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００４９】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００５０】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｅとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを、秒針車１２２の回転角度位置の位置決めに用いることで、確実な位置決めを行うことができる。
【００５１】
秒針車１２３においては、図１３に示すように、複数（１１個）の透孔１２３ｃを設ける代わりに、図１４に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２２を形成する材料の無駄を低減することができる。
【００５２】
時分針駆動系１３０は、図２、図３、および図１２に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１と、ロータ１３１ｃのピニオン１３１ｃ’に大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路の出力制御信号に基づいて、その回転方向、回転角度および回転速度が制御される。
そして、秒針駆動系１２０は、図２に示すように、Ａ２で示す第２領域に配置される。
【００５３】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｃ’）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行なえ製品のコストを低減することができる。
【００５４】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１３に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００５５】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１３に回動自在に軸支され、他端側の軸部は後述する時針車１３６の時針パイプ１３６ｐの内部に回動自在に挿通されいる。また、分針１パイプ３４ｐは、下ケース１１１を貫通して時計の文字板２０１側に突出しており、その先端には分針２０３が取り付けられている。
【００５６】
また、分針車１３４には、図１６に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００５７】
また、円弧状透孔１３４ｃは、一端側の円形部１３４ｃ’と、他端側から伸びる幅広円弧部１３４ｃ’’と、両者を連結する幅狭円弧部１３４ｃ’’’とにより形成されている。この幅狭円弧部１３４ｃ’’’により画定される円形部１３４ｃ’は、検出光を通過させるだけでなく、分針車１３４を組み付ける際の位置決め孔（度決め孔）として用いられるものである。
【００５８】
時針車１３６は、大径歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１に形成された軸受け孔１１１ａに挿通されて回動自在に軸支されており、また、その先端側は下ケース１１１を貫通して時計の文字板２０１側に突出しており、その先端には時針２０４が取り付けられている。
【００５９】
また、時針車１３６には、図１７に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、さらに、円弧状透孔１３６ｃ，１３６ｄ，１３６ｅの長さは、中心角β１＋β２，β３，β４がそれぞれ７５°，６０°，９０°となるように設定されている。すなわち、円弧状透孔３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００６０】
また、円弧状透孔１３６ｃは、一端側から中心角β１で７．５°のところに位置する円形部１３６ｃ’と、他端側から伸びる幅広円弧部１３６ｃ’’と、両者を連結すると共に円形部１３６ｃ’の両側に位置する幅狭円弧部１３６ｃ’’’とにより形成されている。この幅狭円弧部１３６ｃ’’’により画定される円形部１３６ｃ’は、検出光を通過させるだけでなく、時針車１３６を組み付ける際の位置決め孔（度決め孔）として用いられるものである。
【００６１】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００６２】
光検出センサ１４０は、図２に示すように、上ケース１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ2 のコレクタに接続されたドライブ回路１８における抵抗素子Ｒ4 の他端に接続され、カソードは、接地されるとともに、受光素子１４４のエミッタに接続されている。
受光素子１４４のコレクタは、制御回路１４に接続されている。この制御回路との接続ラインは、検出信号ＤＴ1 の制御回路１４への出力ラインとなっており、この出力ラインは、抵抗素子Ｒ5 を介して電源電圧ＶCCの供給ラインに接続されている。
すなわち、発光素子１４２は、制御回路１４からローレベルのドライブ信号ＤＲ2 が出力されたとき発光するようにドライブ回路１８に接続されている。
【００６３】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００６４】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００６５】
第１の５番車１２２、３番車１３３、秒針車１２３、分針車１３４、時針車１３６を組付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１１ｃに受光素子１４４を取付ける。
【００６６】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行なうことができる。
【００６７】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外部に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００６８】
手動修正軸１５１は、分針車１３４と同位相で回転するように構成されており、上述の時分針駆動系１３０により分針車１３４が駆動されているときには日の裏車１３５を介して分針車１３４と同相で回転するとともに、時分針駆動系１３０の非作動時には、頭部１５１ｂを指で回転させることにより、指針位置を手動修正できるようになっている。
【００６９】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００７０】
分針車１３４の分針パイプ１３４ｐの先端部および時針車１３６の時針パイプ１３６ｐの先端部には、図１６に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００７１】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００７２】
２針電波修正時計の指針駆動系は、図４に示すように、第１の領域Ａ１に秒針駆動系１２０を配置せず、第２の領域Ａ２に時分針駆動系１３０、光検出センサ１４０等を配置した構成となっている。
すなわち、図４および図５に示す２針電波修正時計の指針駆動系は、図２および図３に示す３針電波修正時計の指針駆動系から秒針駆動系を削除した（配置しない）構成と等価であり、その他の構成は同様であることから、各部の詳細な説明は省略する。
【００７３】
次に、本電波修正時計の時刻修正動作を、図１９および図２０に関連付けて説明する。
３針電波修正時計の場合には、指針駆動系は、第１の領域Ａ１に秒針駆動系１２０が配置され、第２の領域に第２の制御信号を受けて時針車および分針車を含む輪列を駆動する時分針駆動系１３０が少なくとも配置される。
また、アナログ２針の場合には、第１の領域Ａ１には秒針駆動系が配置されず、第２の領域Ａ２に第２の制御信号を受けて時針車および分針車を含む輪列を駆動する時分針駆動系１３０のみが配置される。
【００７４】
まず、いずれの場合にかかわりなく、制御回路１４からドライブ信号ＤＲ2 がドライブ回路１８のローレベルで出力される。これにより、トランジスタＱ2 がオンし、発光素子１４２、すなわち発光ダイオードから検出光が発せられる（ＳＴ１）。
続いて、秒針用ステッピングモータ１２１をパルス駆動するように第１の制御信号ＣＴＬ1 が出力されて（ＳＴ２）、受光素子１４４すなわちフォトトランジスタがオンし、検出信号ＤＴ1 がハイレベル（電源電圧ＶCCレベル）からローレベルに切り換わったか否かの判断が行われる（ＳＴ３）。
【００７５】
ここで、フォトトランジスタからの検出信号ＤＴ1 がハイレベルのままに保持されている場合には、ステップ駆動を行うためのパルス数を加算する度に、フォトトランジスタからの検出信号ＤＴ1 がハイレベル（電源電圧ＶCCレベル）からローレベルに切り換わったか否かの判断が行われる（ＳＴ４〜ＳＴ６）。
そして、パルス数が９に達してもフォトトランジスタからの検出信号ＤＴ1 出力がハイレベル（電源電圧ＶCCレベル）からローレベルに切り換わらない場合には、時分針用ステップピングモータ１３１が１ステップ（パルス）駆動され（ＳＴ７）、その後再び秒針用ステッピングモータ１２１をステップ駆動し（ＳＴ２）て秒針車１２３を回転駆動するように第１の制御信号ＣＴＬ1 が出力される。
【００７６】
一方、ステップＳＴ３において、フォトトランジスタによる検出信号ＤＴ1 がハイレベルからローレベルに切り換わったと判断されると、秒針車１２３を早送りするように第１の制御信号ＣＴＬ1 が出力されて（ＳＴ８）、制御回路１４であらかじめ記憶された出力パターンとの比較が行われる（ＳＴ９）。
比較の結果、得られた出力パターンとあらかじめ決められて記憶された出力パターンとが適合しない場合は、本電波修正時計は、秒針駆動系が配置されていない２針電波修正時計であると判断して、ステップＳＴ１１の処理に移行し、分針車の早送り制御が行われる。
【００７７】
一方、ステップＳＴ９において、得られた出力パターンと記憶された出力パターンとが適合した場合には、本電波修正時計は、秒針駆動系が配置されている３針電波修正時計であると判断して、その時点（５ステップ目でもフォトトランジスタにより検出信号ＤＴ1 のレベルがローレベルに切り換わらない場合において次にフォトトランジスタの出力がローレベルに切り換わった時点）で、第１の制御信号ＣＴＬ1 の出力が停止されて、秒針車１２３の回路駆動が停止される。そして、秒針車１２３が帰零位置で停止する（ＳＴ１０）。このとき、秒針は所定時刻たとえば正時（０秒）の位置に修正される。そして、ステップＳＴ１１の処理に移行する。
【００７８】
ステップＳＴ１１においては、制御回路１４から第２の制御信号ＣＴＬ2 が出力されて時分針用ステップモータ１３１のみが所定の出力周波数でパルス駆動されて分針車１３４が早送りされる（ＳＴ１１）。
そして、フォトトランジスタからの出力パターンと制御回路１４にあらかじめ記憶された出力パターンとの比較が行われる（ＳＴ９１２）。
比較の結果、得られた出力パターンと記憶された出力パターンとが適合しない場合は、ステップＳＴ１１の処理に戻り、再び分針車１３４が早送りされる。
【００７９】
一方、ステップＳＴ１２の比較の結果、得られた出力パターンと記憶された出力パターンとが適合した場合は、その時点で、第２の制御信号ＣＴＬ2 の出力が停止されて、時分針用ステッピングモータ１３１が停止されて、分針車１３４および時針車１３６の駆動が停止される（ＳＴ１３）。
【００８０】
ここで、たとえば上記出力パターンとあらかじめ記憶されたパターンとの比較による時刻修正は、３種類のパターンのいずれかに合わせることにより行われる。
すなわち、分針車１３４によるフォトトランジスタの出力パターンは、図２０（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２０（ｂ）に示すように、遮光部が作用するオフの幅が３種類のＤ部、Ｅ部、Ｃ部が所定間隔をおいて交互に現れるようなパターンとなり、両者を合成した出力パターンは、図２０（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定間隔をおいて現れるパターンとなる。
なお、図２３に示すパターンのうちオンとなるパターンの部分は、実際には３番車１３３の遮光部によりオフとなる部分があるので、歯抜け状のパターンとなっている。
【００８１】
そこで、Ｄ部，Ｂ部およびＡ部の組み合わせからなるパターンが確認されたときを例えば４時００分、Ｅ部，Ｂ部およびＡ部の組み合わせからなるパターンが確認されたときを、たとえば８時００分、Ｃ部，Ｂ部およびＡ部の組み合わせからなるパターンが確認されたときを、たとえば１２時００分としてあらかじめ設定しておけば、これらのパターンのいずれかを検出したきに時分針用ステッピングモータ１３１を停止させることで、分針車１３４および時針車１３６すなわち分針２０３および時針２０４を所定の時刻に時刻修正することができる。
【００８２】
そして、時分針用ステッピングモータ１３１を停止させた後、制御回路１４によるドライブ信号ＤＲ2 がハイレベルに切り換えられる。
これにより、ドライブ回路１８のトランジスタＱ2 がオフし、発光ダイオードの発光が停止され（ＳＴ１４）、時刻修正動作を終了する。
【００８３】
このように、指針の修正動作において、分針車１３４および時針車１３６に、検出光を通過させるための透孔として、円弧状透孔すなわち長孔を用いているため、光検出センサ１４０がオンとなる範囲が広がり、位置検出時間を短縮でき、その結果、秒針の時刻修正を行なう時間を短縮することができる。また、時針車１３６に３種類の遮光部Ｃ，Ｄ，Ｅを設けたことから、３箇所のいずれかを検出して時刻修正を行なうことができ、また、最も回転速度の遅い時針車１３６を従来に比べ略１／３回転させるだけで位置検出ができ、これにより、分針２０３および時針２０４の時刻修正を行なう時間を短縮することができる。
【００８４】
以上説明したように、本実施形態によれば、３針アナログ時刻表示の場合には、第１の領域に第１の制御信号を受けて秒針車を含む輪列を駆動する秒針駆動系１２０を配置し、第２の領域に第２の制御信号を受けて時針車および分針車を含む輪列を駆動する時分針駆動系１３０を配置することが可能で、２針アナログ表示の場合には、第１の領域には秒針駆動系を配置せず、第２の領域に第２の制御信号を受けて時針車および分針車を含む輪列を駆動する時分針駆動系１３０のみを配置可能な指針駆動系と、指針位置検出系であらかじめ決められた検出結果が得られた場合には、３針アナログ時刻表示に対応して指針駆動系が構成されているものと判断して、第１の制御信号を上記秒針駆動系に出力し、第２の制御信号を時分針駆動系に出力し、秒針駆動系および時分針駆動系を駆動して時刻修正、および時刻表示を行い、指針位置検出系であらかじめ決められた検出結果が得られない場合には、２針アナログ時刻表示に対応して指針駆動系が構成されているものと判断して、第２の制御信号のみを時分針駆動系に出力し、時分針駆動系を駆動して時刻修正、および時刻表示を行う制御回路１４を設けたので、部品を新たに製作することなく指針駆動系を３針と２針で共用でき、２煩雑な手間を要さず、同時に多品種の製品に対応でき、また、時刻修正時に指針位置や受信など現在の動作が確認できる利点がある。
【００８５】
【発明の効果】
以上説明したように、本発明によれば、部品を新たに製作することなく指針駆動系を３針と２針で共用でき、２煩雑な手間を要さず、同時に多品種の製品に対応できる自動修正時計を実現できる。
【図面の簡単な説明】
【図１】本発明に係る電波修正時計の信号処理系回路の一実施形態を示すブロック構成図である。
【図２】本発明に係る３針電波修正時計の指針駆動系の一実施形態の全体構成を示す断面図である。
【図３】本発明に係る３針電波修正時計の指針駆動系の要部の平面図である。
【図４】本発明に係る２針電波修正時計の指針駆動系の一実施形態の全体構成を示す断面図である。
【図５】本発明に係る２針電波修正時計の指針駆動系の要部の平面図である。
【図６】本発明に係る制御回路における初期修正モード時の帰零動作前の受信電波状態の判別基準を説明するための図である。
【図７】標準時刻電波信号の時刻コードの一例を示す図である。
【図８】秒針帰零時の３針機種の場合のセンサ出力パターンを示す図である。
【図９】秒針帰零時の２針機種の場合のセンサ出力パターンを示す図である。
【図１０】本発明に係る３針電波修正時計の自動修正時計の一部である秒針を駆動する秒針駆動系を示す平面図である。
【図１１】本発明に係る３針電波修正時計の自動修正時計の一部である分針および時針を駆動する時分針駆動系を示す平面図である。
【図１２】本発明に係る３針電波修正時計の秒針を駆動する秒針駆動系の一部をなす第１の５番車を示す平面図である。
【図１３】本発明に係る３針電波修正時計の秒針を駆動する秒針駆動系の一部をなす秒針車を示す平面図である。
【図１４】本発明に係る３針電波修正時計の秒針を駆動する秒針駆動系の一部をなす秒針車の他の例を示す平面図である。
【図１５】本発明に係る３針電波修正時計の分針および時針を駆動する時分針駆動系の一部をなす３番車を示す平面図である。
【図１６】本発明に係る３針電波修正時計の分針および時針を駆動する時分針駆動系の一部をなす分針車を示す平面図である。
【図１７】本発明に係る３針電波修正時計の分針および時針を駆動する時分針駆動系の一部をなす時針車を示す平面図である。
【図１８】本発明に係る３針電波修正時計の分針パイプおよび時針パイプの先端部を示す端面図である。
【図１９】本発明に係る電波修正時計の時刻修正動作を説明するためのフローチャートである。
【図２０】修正動作において、分針車、時針車、および両者の合成による検出手段の出力パターンを示す図である。
【符号の説明】
１０…信号処理系回路
１１…標準電波信号送受信系
１２…リセットスイッチ
１３…発振回路
１４…制御回路
１５…ドライブ回路
１６…発光素子
１７…バッファ回路
１８…ドライブ回路
１００…時計本体
１１１…下ケース
１１１ｃ…取付け凹部
１１１ｄ…円形貫通孔
１１２…上ケース
１１２ｃ…取付け凹部
１１２ｄ…円形貫通孔
１１３…中板
１２０…秒針駆動系
１２１…秒針用ステッピングモータ
１２２…第１の５番車
１２２ｃ…透孔
１２３…秒針車
１２３ｃ…透孔
１２３ｄ…位置決め遮光部
１２３ｅ…付勢ばね
１２３ｆ…切り欠き孔
１２３ｇ…切り欠き孔
１３０…時分針駆動系
１３１…分針系ステッピングモータ
１３２…第２の５番車
１３３…３番車
１３３ｃ…透孔
１３４…分針車
１３４ｃ…円弧状透孔
１３４ｄ…円弧状透孔
１３４ｅ…円弧状透孔
１３４ｇ…溝
１３４ｐ…分針パイプ
１３５…日の裏車
１３６…時針車
１３６ｃ…円弧状透孔
１３６ｄ…円弧状透孔
１３６ｅ…円弧状透孔
１３６ｇ…溝
１３６ｐ…時針パイプ
１４０…光検出センサ
１４２…発光素子
１４４…受光素子
１５０…手動修正系
ＶCC…電源電圧
Ｃ1 〜Ｃ3 …キャパシタ
Ｒ1 〜Ｒ5 …抵抗素子
【図１】
0003704028.tif 000005
【図２】
0003704028.tif 000006
【図３】
0003704028.tif 000007
【図４】
0003704028.tif 000008
【図５】
0003704028.tif 000009
【図６】
0003704028.tif 000010
【図７】
0003704028.tif 000011
【図８】
0003704028.tif 000012
【図９】
0003704028.tif 000013
【図１０】
0003704028.tif 000014
【図１１】
0003704028.tif 000015
【図１２】
0003704028.tif 000016
【図１３】
0003704028.tif 000017
【図１４】
0003704028.tif 000018
【図１５】
0003704028.tif 000019
【図１６】
0003704028.tif 000020
【図１７】
0003704028.tif 000021
【図１８】
0003704028.tif 000022
【図１９】
0003704028.tif 000023
【図２０】
0003704028.tif 000024